(57)【要約】【課題】通信相手局が単数あるいは複数存在する無線通信装置および無線通信システムにおいて、受信信号の周波数ずれ対策を付加し、通信品質を向上する。【解決手段】データを変調して所定の無線通信規格に準拠した送信信号を相手局へ送信する送信機３１ｂと、相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機３１ａとを具備する無線通信装置において、送信機３１ｂは、受信信号の周波数ずれ量を相手局に通知する機能、相手局から通知された周波数ずれ量に応じて送信周波数を調整する機能を有し、いずれかが選択可能である。【選択図】図３
2006270254.tif 000002
【特許請求の範囲】
【請求項１】
データを変調して所定の無線通信規格に準拠した送信信号を相手局へ送信する機能および前記相手局から通知された周波数ずれ量に応じて送信周波数を調整する機能を有する送信機と、
前記相手局から送信された所定の無線通信規格に準拠した受信信号を受信し、データ復元機能を有する受信機
とを具備することを特徴とする無線通信装置。
【請求項２】
相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機と、
データを変調して所定の無線通信規格に準拠した送信信号を前記相手局へ送信する機能および前記受信信号の周波数ずれ量を前記相手局に通知する機能を有する送信機
とを具備することを特徴とする無線通信装置。
【請求項３】
データを変調して所定の無線通信規格に準拠した送信信号を相手局へ送信する送信機と、
相手局から送信された所定の無線通信規格に準拠した受信信号を受信し、前記受信信号の周波数ずれ量を検出して検出結果に応じて局部発振器の周波数調整を自動的に行うＡＦＣ機能およびデータ復元機能を有する受信機とを具備し、
前記送信機は、前記受信信号の周波数ずれ量を前記相手局に通知する機能、前記相手局から通知された周波数ずれ量に応じて送信周波数を調整する機能を有し、いずれかを選択可能なことを特徴とする無線通信装置。
【請求項４】
第１の無線通信装置と第２の無線通信装置との相互間で所定の無線通信規格に準拠した無線データ通信を行う無線通信システムであって、
前記第２の無線通信装置は、前記第１の無線通信装置から送信された信号を受信して受信信号の周波数ずれ量を検出し、ＡＦＣ機能を用いてデータを復調するとともに前記検出した受信信号の周波数ずれ量を前記第１の無線通信装置に通知し、
前記第１の無線通信装置は、前記第２の無線通信装置から通知された周波数ずれ量に応じて送信周波数を調整することを特徴とする無線通信システム。
【請求項５】
第１の無線通信装置と第２の無線通信装置との相互間で所定の無線通信規格に準拠した無線データ通信を行う無線通信システムであって、
前記第１の無線通信装置は、前記第２の無線通信装置から送信された信号を受信して受信信号の周波数ずれ量を検出し、ＡＦＣ機能を用いてデータを復調するとともに、前記検出した受信信号の周波数ずれ量に応じて送信周波数を調整することを特徴とする無線通信システム。
【発明の詳細な説明】
【技術分野】
【０００１】
本発明は、無線通信装置および無線通信システムに係り、特に標準規格およびそれには規定されていない独自機能を用いる無線通信装置および無線通信システムにおける周波数調整手段に関するもので、搬送波を用いる通信システム全般に適応可能である。
【背景技術】
【０００２】
IEEE802.11に準拠した無線通信を行う従来の無線LAN システムにおいては、送信側（基地側あるいは端末側）の送信機から通常の送信を行い、受信側（端末側あるいは基地側）の受信機で受信する。この際、受信機は、受信信号の周波数ずれ量を検出し、検出結果に応じて局部発振器の周波数調整を自動的に行うＡＦＣ（Automatic Frequency Control）機能を搭載している。
【０００３】
ところで、種々の無線通信装置において、無線通信装置に標準規格では規定されていない独自機能を搭載することがある。一具体例として、無線LAN の規格であるIEEE802.11に準拠した無線通信部を搭載した製品が出回り始め、IEEE802.11準拠外の種々の独自機能を持った無線通信部を持つ製品も出始めており、今後さらに普及が見込まれる。このような観点から、受信信号の周波数ずれ対策を施した独自機能が要望されている。
【０００４】
なお、受信機の局部発振器(Local Oscillator)の発振周波数を調整する自動周波数調整装置が例えば特許文献１に開示されている。この自動周波数調整装置は、周波数ずれ検出から周波数調整完了までに遅延があるので、受信データのフレーム先頭において高速にＡＦＣを収束させなければならない無線LAN(IEEE802.11a)には適用できない。
【特許文献１】特開２００３−２２９７４４号公報
【発明の開示】
【発明が解決しようとする課題】
【０００５】
本発明は前記した従来の問題点を解決すべくなされたもので、通信相手局が単数あるいは複数存在する通信に際して、受信信号の周波数ずれ対策を付加することにより、通信品質を向上し得る無線通信装置および無線通信システムを提供することを目的とする。
【課題を解決するための手段】
【０００６】
本発明の無線通信装置は、データを変調して所定の無線通信規格に準拠した送信信号を相手局へ送信する機能および前記相手局から通知された周波数ずれ量に応じて送信周波数を調整する機能を有する送信機と、前記相手局から送信された所定の無線通信規格に準拠した受信信号を受信し、データ復元機能を有する受信機とを具備している。
【０００７】
本発明の無線通信装置は、相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機と、データを変調して所定の無線通信規格に準拠した送信信号を相手局へ送信する機能および前記受信信号の周波数ずれ量を相手局に通知する機能を有する送信機とを具備している。
【０００８】
本発明の無線通信装置は、データを変調して所定の無線通信規格に準拠した送信信号を相手局へ送信する送信機と、前記相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機とを具備し、前記送信機は、前記受信信号の周波数ずれ量を前記相手局に通知する機能、前記相手局から通知された周波数ずれ量に応じて送信周波数を調整する機能を有し、いずれかが選択可能である。
【０００９】
本発明の無線通信システムは、第１の無線通信装置と第２の無線通信装置との相互間で所定の無線通信規格に準拠した無線データ通信を行う無線通信システムであって、前記第２の無線通信装置は、前記第１の無線通信装置から送信された信号を受信して受信信号の周波数ずれ量を検出し、ＡＦＣ機能を用いてデータを復調するとともに前記検出した受信信号の周波数ずれ量を前記第１の無線通信装置に通知し、前記第１の無線通信装置は、前記第２の無線通信装置から通知された周波数ずれ量に応じて送信周波数を調整する。
【００１０】
本発明の無線通信システムは、第１の無線通信装置と第２の無線通信装置との相互間で所定の無線通信規格に準拠した無線データ通信を行う無線通信システムであって、前記第１の無線通信装置は、前記第２の無線通信装置から送信された信号を受信して受信信号の周波数ずれ量を検出し、ＡＦＣ機能を用いてデータを復調するとともに、前記検出した受信信号の周波数ずれ量に応じて送信周波数を調整する。
【発明の効果】
【００１１】
本発明によれば、通信相手局が単数あるいは複数存在する通信に際して、受信信号の周波数ずれ対策を付加することにより、通信品質を向上し得る無線通信装置および無線通信システムを提供することができる。
【発明を実施するための最良の形態】
【００１２】
以下、図面を参照して本発明の実施形態を説明する。この説明に際して、全図にわたり共通する部分には共通する参照符号を付す。
【００１３】
＜第１の実施形態＞
図１は、本発明の第１の実施形態の無線LAN 通信システムを示すブロック図である。この無線LAN 通信システムは、例えば基地局（親機）あるいは端末局（子機）として用いられる第１の無線通信装置１１と、端末局として用いられる第２の無線通信装置１２との相互間で所定の無線通信規格（例えばIEEE802.11a ）に準拠した無線データ通信を行うものである。
【００１４】
第１の実施形態の通信システムにおいて、第１の無線通信装置１１は、データを変調して搬送波信号に重畳して、所定の無線通信規格に準拠した送信信号を相手局へ送信する機能および前記相手局から通知された周波数ずれ量に応じて送信周波数を調整する機能を有する送信機と、相手局から送信された所定の無線通信規格に準拠した受信信号を受信し、データ復元機能を有する受信機とを具備する。
【００１５】
一方、第２の無線通信装置１２は、相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機と、データを変調して所定の無線通信規格に準拠した送信信号を相手局へ送信する機能および前記受信信号の周波数ずれ量を相手局に通知する機能を有する送信機とを具備する。
【００１６】
図２は、第１の実施形態の通信システムにおいてデータ通信を行う様子を示すフレームシーケンスチャートである。ここで、局１は図１中の第１の無線通信装置１１、局２は図１中の第２の無線通信装置１２である。
【００１７】
図２に示すように、初期状態では局１が通信相手局である局２に通常に送信を行う。局２は、局１の送信周波数と自局（局２）の受信周波数とのずれを検出し、受信信号に補正を掛けた上で復調する。つまり、ＡＦＣ機能を作動（ＯＮ）させて受信周波数のずれを補正した上でデータ復元を行う。さらに、局２は、次の送信機会に、局１と自局（局２）の周波数ずれ量を局１に通知する。局２との周波数ずれ量通知を受けた局１は、次回以降の送信機会において、その周波数ずれを調整した周波数で送信を行う。
【００１８】
即ち、第１の実施形態の無線LAN 通信システムにおいては、第１の無線通信装置１１から送信された信号を第２の無線通信装置１２で受信すると、受信毎に受信信号の周波数ずれ量を検出し、ＡＦＣ機能を作動（ＯＮ）させてデータを復調するとともに前記検出した受信信号の周波数ずれ量を第１の無線通信装置１１に通知する。これにより、第１の無線通信装置１１は第２の無線通信装置１２から通知された周波数ずれ量に応じて送信周波数を調整する。
【００１９】
上記したように第１の実施形態の無線通信システムによれば、第１の無線通信装置１１は、第２の無線通信装置（通信相手局）１２の受信機で受信信号と受信用発振器との周波数のずれ量を検出した周波数オフセットが通知（フィードバック）されるので、周波数のずれ量に応じて送信周波数を調整することにより周波数オフセットを解消することができる。これにより、第２の無線通信装置（通信相手局）１２は、周波数ずれの少ない信号を受信できることになり、通信品質が向上する。
【００２０】
また、第１の無線通信装置１１によれば、２つの無線通信装置相互間で例えばIEEE802.11 に準拠した無線データ通信を行う際、通信相手局が周波数のずれ量を通知する機能を有する場合に通信品質を向上することができる。
【００２１】
＜図１の無線通信システムにおける無線通信装置の一例＞
図３は、図１の無線LAN 通信システムにおける各無線通信装置の一例を示すブロック図である。図３中の無線通信装置は、無線アンテナ３０と、ハードウェア(Hardware)部３１、ソフトウェア(Software)部３３からなる。
【００２２】
ハードウェア部３１の受信機３１ａにおいて、３１２は受信機用のＲＦ（高周波）／ＩＦ（中間周波）部、３１３はアナログ／デジタル（Ａ／Ｄ）変換部、３１４は周波数ずれ量検出部、３１５は受信データを復調するデータ復調部である。
【００２３】
ハードウェア部３１の送信機３１ｂにおいて、３１６は送信データを変調するデータ変調部、３１７は周波数調整部、３１８はデジタル／アナログ（Ｄ／Ａ）変換部、３１９は送信機用のＲ／Ｆ部である。
【００２４】
３２は受信機の周波数ずれ量検出部３１４で得られた周波数ずれ量を記憶し、記憶情報に基づいて送信機の周波数調整部３１７の局部発振周波数を調整する周波数ずれ量記憶部である。
【００２５】
図３中のソフトウェア部３３は、受信データを解釈する受信データ解釈機能を有する受信データ解釈部３３１と、送信データを生成する送信データ指示機能を有する送信指示部３３２とを備えている。
【００２６】
上記構成の無線通信装置によれば、受信データのフレーム先頭において高速にＡＦＣを収束させることが可能であり、また、DC成分を利用しないOFDMを採用したシステムに使用して好適である。
【００２７】
＜図１の無線通信システムにおける無線通信装置の他の例＞
図１の無線通信システムにおける各無線通信装置１１，１２として、データを変調して搬送波信号に重畳して、所定の無線通信規格に準拠した送信信号を相手局へ送信する送信機と、相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機とを具備し、さらに、前記受信信号の周波数ずれ量を相手局に通知する機能、前記相手局から通知された周波数ずれ量に応じて送信周波数を調整する機能を有し、いずれかを選択可能なものを用いることができる。
【００２８】
このような選択機能を有する無線通信装置を第１の無線通信装置１１として用いる場合には、例えばアクセスポイント(AP)側モードを選択して相手局から通知された周波数ずれ量に応じて送信周波数を調整する機能を作動させればよい。また、第２の無線通信装置１２として用いる場合には、例えば端末(STA) 側モードを選択して受信信号の周波数ずれ量を相手局に通知する機能を作動させればよい。上記構成の無線通信装置によれば、使用する無線通信装置の構成の標準化を図ることができる。
【００２９】
＜第１の実施形態の無線通信システムにおける第２の無線通信装置の変形例＞
図４は、第１の実施形態の無線通信システムにおいて第２の無線通信装置１２の変形例を用いて親機・子機間でフレームを授受してデータ通信を行う様子を示すフレームシーケンスチャートである。
【００３０】
この無線通信システムの変形例においては、局２は、ＡＦＣ機能を作動（ＯＮ）させて周波数調整を完了し、周波数ずれ量の通知を完了した後の受信機会に、前記受信信号の周波数ずれ量の検出機能、ＡＦＣ機能（周波数ずれ補正機能）を停止（ＯＦＦ）する機能をさらに有する。なお、図４において、局１から局２への通常送信は、局２の呼び出しとか、ブロードキャストである。局２は、局１との一連の通信を行ってＡＦＣを停止（ＯＦＦ）させた後、例えば確認信号(Ack) を局１に送信する。
【００３１】
このように第２の無線通信装置の変形例を用いた無線通信システムによれば、局２はＡＦＣ機能を停止する分だけ、消費電力を低減することができるので、局１が基地局、局２が端末局である場合に特に好適である。
【００３２】
＜第１の実施形態の無線LAN 通信システムにおける第１の無線通信装置の変形例＞
第１の無線通信装置の送信機は、自局の受信機で検出した周波数ずれ量が規格（電波法で定めた範囲内）に含まれるか否かを判定し、範囲内に含まれる場合には通知された周波数ずれ量に応じて送信周波数を調整し、範囲内に含まれない場合には当該範囲の限界値に応じて送信周波数を調整する機能をさらに有するように変形実施してもよい。
【００３３】
上記構成の無線通信装置によれば、送信周波数の範囲を制限することが可能であり、送信周波数に対する規定が存在する場合に、これを遵守できるという利点を持つ。
【００３４】
図５は、第１の実施形態の無線LAN 通信システムにおいて第１の無線通信装置の変形例を用いて親機・子機間でデータ通信を行う様子を示すフレームシーケンスチャートである。
【００３５】
この無線LAN 通信システムの変形例においては、局１は、局２から通知される周波数ずれ量を予め定めた閾値と比較判定し、予め定めた範囲に含まれる量であれば通知された周波数ずれ量を、予め定めた範囲を超える量であれば範囲の限界値を修正目標の周波数とし、修正目標の周波数に応じて次回以降の送信周波数を調整する。
【００３６】
このような無線LAN 通信システムによれば、局１の送信周波数の範囲を制限することが可能であり、送信周波数に対する規定が存在する場合に、これを遵守できるという利点を持つ。
【００３７】
＜第２の実施形態＞
第２の実施形態の無線LAN 通信システムは、前述した図１のシステムにおいて、第１の無線通信装置１１を基地局あるいは端末局として用い、端末局として用いられる第２の無線通信装置１２として通常の送受信機能を有するものを用い、相互間で所定の無線通信規格（例えばIEEE802.11a ）に準拠した無線データ通信を行うものである。
【００３８】
この無線LAN 通信システムにおいては、第１の無線通信装置１１は第２の無線通信装置１２から送信された信号を受信して受信信号の周波数ずれ量を検出し、ＡＦＣ機能を用いてデータを復調するとともに前記検出した受信信号の周波数ずれ量に応じて送信周波数を調整する。
【００３９】
図６は、第２の実施形態の無線LAN 通信システムにおいて、親機・子機間でデータ通信を行う様子を示すフレームシーケンスチャートである。
【００４０】
図６に示すように、初期状態では、局２が通信相手局である局１に通常に送信を行う。局１は局２の送信周波数と自局（局１）の受信周波数との周波数ずれを検出し、受信信号に補正を掛けた上で復調する。さらに、局１は、次の送信機会に局２と自局（局１）の周波数ずれ量に応じて送信周波数を調整する。
【００４１】
上記したように第２の実施形態の無線LAN 通信システムによれば、検出した受信信号の周波数ずれ量に応じて送信周波数を調整する機能を局１のみに付加すればよく、局２は通常の送受信を行えばよい。したがって、本発明に係る無線通信装置（局１）と、本発明に該当しない通常の送受信機能のみを有する無線通信装置（局２）との間の通信品質が向上するという利点を持つ。つまり、２つの無線通信装置相互間で例えばIEEE802.11n に準拠した無線データ通信を行う際、通信相手局が周波数のずれ量を通知する機能を有さない場合でも、あるいは、通信相手局が周波数のずれ量を通知する機能を有するか否かに拘らず、通信品質を向上することができる。
【００４２】
＜第２の実施形態の無線LAN 通信システムにおける第１の無線通信装置の変形例＞
第２の実施形態の無線LAN 通信システムにおいても、前述した第１の実施形態の無線通信システムと同様に第１の無線通信装置を変形実施することができる。このような無線LAN 通信システムによれば、送信周波数に対する規定が存在する場合に、これを遵守することができる。
【００４３】
＜第３の実施形態＞
図７は、本発明の第３の実施形態の無線LAN 通信システムを示すブロック図である。この無線LAN 通信システムは、例えば基地局として用いられる第１の無線通信装置１１と、それぞれ端末局として用いられる通常の送受信機能を有する複数の第２の無線通信装置１２との相互間で所定の無線通信規格（例えばIEEE802.11n ）に準拠した無線データ通信を行うものである。
【００４４】
図８は、図７の無線LAN 通信システムにおける第１の無線通信装置１１のハードウェア部の一例を示すブロック図である。
【００４５】
この第１の無線通信装置は、複数のアンテナ８０と、受信機８１と、送信機８２とを具備する。受信機８１は、アンテナ８０毎に相手局から送信された所定の無線通信規格（例えばIEEE802.11n ）に準拠した受信信号を受信し、受信信号の周波数ずれ量をそれぞれ検出し、周波数ずれ量合成部８３により複数の周波数ずれ量の検出結果を合成した値を最終的な周波数ずれ量検出結果とする機能、前記最終的な周波数ずれ量検出結果に応じて局部発振器の周波数調整を自動的に行うＡＦＣ機能およびデータ復元機能を有する。送信機８２は、データを変調して搬送波信号に重畳して、所定の無線通信規格に準拠した送信信号を相手局へ送信する機能および前記周波数ずれ量合成部８３により得られた最終的な周波数ずれ量検出結果に応じて送信周波数を調整する機能を有する。ここで、１つの局部発振器（周波数シンセサイザ、ＰＬＬなど）８４および周波数ずれ量合成部８３は、受信機８１および送信機８２で共用されている。また、受信機８１では１つの復調部８５が共用され、送信機８２では１つの変調部８６が共用されている。
【００４６】
図９は、図７中の親機と複数の子機との間でデータ通信を行う様子を示すフレームシーケンスチャートである。図９に示すように、初期状態において、図７中の第２の無線通信装置１２である局２、局３が通信相手局である局１（図７中の第１の無線通信装置１１）に通常に送信を行う。本例では、局２の送信が先行している。
【００４７】
局１は、局２および局３から送信された信号を複数のアンテナで受信し、各アンテナから得られる信号から、局２および局３に対して、それぞれの送信周波数と自局（局１）の受信周波数との周波数ずれ量を検出し、ＡＦＣ機能を用いてデータを復調する（受信信号に補正を掛けた上で復調する）。この際、局１は、検出した複数の周波数ずれ量の合成値（平均値）として、サービス品質（Quality of Service;QoS）の優先順位（例えば映像通信および音声通信、Ｗｅｂ通信、メール通信の順）に応じて重み付けをした平均値、例えば受信電力で重み付けをした平均値を周波数調整目標値として求める。そして、次回の送信機会には、周波数調整目標値に応じて送信信号の周波数を調整する。即ち、局１は、次の送信機会に局２宛てに送信する際には局２と自局（局１）との周波数ずれ量に応じて送信周波数を調整し、次の送信機会に局３宛てに送信する際には、局３と自局（局１）とのずれ量に応じて送信周波数を調整し、報知信号のように複数の局に同報する信号を送信する際には、前記合成値に応じて送信周波数を調整する。
【００４８】
上記したように第３の実施形態の無線通信システムによれば、本発明に係る無線通信装置と、本発明に該当しない複数の無線通信装置（通常の送受信機能のみを有する無線通信装置）との間で通信を行う際、複数のアンテナで検出された周波数ずれ量の合成値を周波数調整目標値とするので、雑音、マルチパスフェージングの影響を低減でき、通信品質が向上するという利点を持つ。
【００４９】
図１０は、本発明の無線通信装置のベースバンド部を搭載した半導体チップのハードウェア構成の一例を示すブロック図である。
【００５０】
図１０に示す半導体チップ１００において、システムバス１０１には、ＣＰＵ（中央処理装置）１０２、外部Ｉ／Ｆ（インターフェース）制御部１０３、ＭＡＣ処理部１０４、メモリ制御部１０５が接続されている。前記ＭＡＣ処理部１０４には、ＰＨＹ（物理層）処理部１０６が接続されている。前記メモリ制御部１０５には、内部メモリ１０７が接続されており、必要に応じてチップ外部の外部メモリ１０８が接続される。なお、メモリ制御部１０５には、外部メモリ１０８のみが接続される場合もある。
【００５１】
図１１は、図１０に示した無線通信装置のベースバンド部（半導体チップのハードウェア構成）を制御するためのソフトウェア構成の一例を示すブロック図である。図１１中のメモリ部に格納されるファームウェア（ＦＷ）１１０として、データ伝送処理部１１１と、プロトコル処理部１１２と、ホストＩ／Ｆ処理部１１３と、ハードウェア（ＨＷ）ドライバ１１４を有する。前記ホストＩ／Ｆ処理部１１３は、ホストドライバ１１５を介して上位アプリケーション１１６を制御する。
【００５２】
なお、本発明で利用可能な無線通信規格は、IEEE802.11a,IEEE802.11n に限らず、他の無線通信規格でもよい。
【００５３】
以上説明した本実施形態の無線通信システムおよび無線通信装置を整理すると、以下のようなものである。
【００５４】
（１）  データを変調して搬送波信号に重畳して、所定の無線通信規格に準拠した送信信号を相手局へ送信する機能および前記相手局から通知された周波数ずれ量に応じて送信周波数を調整する機能を有する送信機と、
相手局から送信された所定の無線通信規格に準拠した受信信号を受信し、データ復元機能を有する受信機とを具備する無線通信装置。
【００５５】
（２）  前記（１）の無線通信装置において、前記送信機は、相手局から通知された前記周波数ずれ量が予め定めた範囲に含まれるか否かを判定し、前記範囲に含まれる場合には前記通知された周波数ずれ量に応じて送信周波数を調整し、前記範囲に含まれない場合には当該範囲の限界値に応じて送信周波数を調整する機能をさらに有する。
【００５６】
（３）  相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機と、
データを変調して搬送波信号に重畳して、所定の無線通信規格に準拠した送信信号を相手局へ送信する機能および前記受信信号の周波数ずれ量を相手局に通知する機能を有する送信機とを具備する無線通信装置。
【００５７】
（４）  前記（３）の無線通信装置において、前記受信機は、前記ＡＦＣ機能を用いて周波数調整を完了し、周波数ずれ量の通知を完了した後の受信機会において、前記受信信号の周波数ずれ量の検出機能、前記ＡＦＣ機能（周波数ずれ補正機能）を停止する機能をさらに有する。
【００５８】
（５）  前記（３）の無線通信装置において、前記送信機は、自局の受信機で検出した前記周波数ずれ量が予め定めた範囲に含まれるか否かを判定し、前記範囲に含まれる場合には前記通知された周波数ずれ量に応じて送信周波数を調整し、前記範囲に含まれない場合には当該範囲の限界値に応じて送信周波数を調整する機能をさらに有する。
【００５９】
（６）  データを変調して搬送波信号に重畳して、所定の無線通信規格に準拠した送信信号を相手局へ送信する送信機と、
相手局から送信された所定の無線通信規格に準拠した受信信号を受信し、受信信号の周波数ずれ量を検出して検出結果に応じて局部発振器の周波数調整を自動的に行うＡＦＣ機能およびデータ復元機能を有する受信機とを具備し、
前記送信機は、前記受信信号の周波数ずれ量を相手局に通知する機能、前記相手局から通知された周波数ずれ量に応じて送信周波数を調整する機能を有し、いずれかを選択可能とする無線通信装置。
【００６０】
（７）  第１の無線通信装置と第２の無線通信装置との相互間で所定の無線通信規格に準拠した無線データ通信を行う無線通信システムであって、第１の無線通信装置から送信された信号を前記第２の無線通信装置で受信して受信信号の周波数ずれ量を検出し、ＡＦＣ機能を用いてデータを復調するとともに前記検出した受信信号の周波数ずれ量を前記第１の無線通信装置に通知し、当該第１の無線通信装置は前記第２の無線通信装置から通知された周波数ずれ量に応じて送信周波数を調整する。
【００６１】
（８）  前記（７）の無線通信システムにおいて、前記第１の無線通信装置は前記（１）または（２）の無線通信装置であり、前記第２の無線通信装置は（３）乃至（５）のいずれかの無線通信装置である。
【００６２】
（９）  前記（７）の無線通信システムにおいて、前記各無線通信装置は、それぞれ前記（６）の無線通信装置である。
【００６３】
（１０）  第１の無線通信装置と第２の無線通信装置との相互間で所定の無線通信規格に準拠した無線データ通信を行う無線通信システムであって、前記第１の無線通信装置は前記第２の無線通信装置から送信された信号を受信して受信信号の周波数ずれ量を検出し、ＡＦＣ機能を用いてデータを復調するとともに前記検出した受信信号の周波数ずれ量に応じて送信周波数を調整する。
【００６４】
（１１）  前記（１０）の無線通信システムにおいて、前記第１の無線通信装置は前記（１）または（２）の無線通信装置であり、前記第２の無線通信装置は通常の送受信機能を有する無線通信装置である。
【００６５】
（１２）  複数のアンテナと、
前記複数のアンテナ毎に相手局から送信された所定の無線通信規格に準拠した受信信号を受信し、受信信号の周波数ずれ量をそれぞれ検出し、複数の周波数ずれ量の検出結果を合成した値を最終的な周波数ずれ量検出結果とする機能、前記最終的な周波数ずれ量検出結果に応じて局部発振器の周波数調整を自動的に行うＡＦＣ機能およびデータ復元機能を有する受信機と、
データを変調して搬送波信号に重畳して、所定の無線通信規格に準拠した送信信号を相手局へ送信する機能および前記最終的な周波数ずれ量検出結果に応じて送信周波数を調整する機能を有する送信機
とを具備する無線通信装置。
【００６６】
（１３）  前記（１２）の第１の無線通信装置と通常の送受信機能を有する複数の第２の無線通信装置との相互間で所定の無線通信規格に準拠した無線データ通信を行う無線通信システムであって、前記第１の無線通信装置は前記複数の第２の無線通信装置から送信された信号を受信して受信信号の周波数ずれ量を検出し、ＡＦＣ機能を用いてデータを復調するとともに前記検出した受信信号の周波数ずれ量に応じて送信周波数を調整する。
【図面の簡単な説明】
【００６７】
【図１】本発明の第１の実施形態の無線LAN 通信システムを示すブロック図。
【図２】第１の実施形態の親機・子機間で通信を行う様子を示すフレームシーケンスチャート。
【図３】図１の無線通信システムにおける各無線通信装置の一例を示すブロック図。
【図４】第１の実施形態の無線通信システムにおいて第２の無線通信装置の変形例を用いて親機・子機間で通信を行う様子を示すフレームシーケンスチャート。
【図５】第１の実施形態の無線LAN 通信システムにおいて第１の無線通信装置の変形例を用いて親機・子機間でデータ通信を行う様子を示すフレームシーケンスチャート。
【図６】本発明の第２の実施形態の無線LAN 通信システムにおいて親機・子機間で通信を行う様子を示すフレームシーケンスチャート。
【図７】本発明の第３の実施形態の無線LAN 通信システムを示すブロック図。
【図８】図７の通信システムにおける第１の無線通信装置のハードウェア部の一例を示すブロック図。
【図９】図７中の親機と複数の子機との間でデータ通信を行う様子を示すフレームシーケンスチャート。
【図１０】本発明の無線通信装置のベースバンド部を搭載した半導体チップのハードウェア構成の一例を示すブロック図。
【図１１】図１０に示した無線通信装置のベースバンド部を制御するためのソフトウェア構成の一例を示すブロック図。
【符号の説明】
【００６８】
３０…無線アンテナ、３１…ハードウェア部、３１ａ…受信機、３１ｂ…送信機、３２…周波数ずれ量記憶部、３３…ソフトウェア部、３１２…受信機用のＲＦ／ＩＦ部、３１３…アナログ／デジタル変換部、３１４…周波数ずれ量検出部、３１５…データ復調部、３１６…データ変調部、３１７…周波数調整部、３１８…デジタル／アナログ変換部、３１９…送信機用のＲ／Ｆ部。
【図１】
2006270254.tif 000003
【図２】
2006270254.tif 000004
【図３】
2006270254.tif 000005
【図４】
2006270254.tif 000006
【図５】
2006270254.tif 000007
【図６】
2006270254.tif 000008
【図７】
2006270254.tif 000009
【図８】
2006270254.tif 000010
【図９】
2006270254.tif 000011
【図１０】
2006270254.tif 000012
【図１１】
2006270254.tif 000013